(57)【要約】【課題】  デジタルカメラ等の撮影装置において、仕向地の好みに応じて絵作りを変更できるようにする。【解決手段】  仕向地選択画面をＬＣＤ１２に表示し、ユーザが設定した仕向地の情報を取得する。そして、例えば仕向地と仕向地に応じた目標色温度とを対応づけたテーブルを参照して仕向地に応じた目標色温度を絵作りパラメータとして取得する。次いで、絵作りパラメータに応じて撮影により取得した画像に処理を施す。【選択図】          図３
2006352222.tif 000002
【特許請求の範囲】
【請求項１】
撮影により画像を取得する撮影手段と、
仕向地に応じた絵作りパラメータを取得するパラメータ取得手段と、
該絵作りパラメータに基づいて前記画像に対して処理を施して、絵作りがなされた処理済み画像を生成する画像処理手段とを備えたことを特徴とする撮影装置。
【請求項２】
前記仕向地を表す情報を取得する仕向地情報取得手段をさらに備えたことを特徴とする請求項１記載の撮影装置。
【請求項３】
前記仕向地情報取得手段は、複数の仕向地からのユーザが所望する仕向地の選択を受け付けることにより、前記仕向地情報を取得する手段であることを特徴とする請求項２記載の撮影装置。
【請求項４】
前記仕向地情報取得手段は、通信経路経由での前記仕向地情報の入力を受け付けることにより、前記仕向地情報を取得する手段であることを特徴とする請求項２記載の撮影装置。
【請求項５】
使用する言語を設定する言語設定手段をさらに備え、
前記仕向地情報取得手段は、該言語設定手段により設定された言語に基づいて、前記仕向地情報を取得する手段であることを特徴とする請求項２記載の撮影装置。
【請求項６】
前記パラメータ取得手段は、処理前の前記画像に含まれる人物の顔または肌色領域を、前記仕向地に応じた目標肌色に変更する絵作りパラメータを取得する手段であることを特徴とする請求項１から５のいずれか１項記載の撮影装置。
【請求項７】
ポートレートモードを含む撮影モードを設定する撮影モード設定手段をさらに備え、
前記パラメータ取得手段は、前記ポートレートモードが設定された場合に、処理前の前記画像に含まれる顔または肌色を、前記仕向地に応じた目標肌色に変更する絵作りパラメータを取得する手段であることを特徴とする請求項６記載の撮影装置。
【請求項８】
前記絵作りのパラメータは、処理前の前記画像の色温度を前記仕向地に応じた目標色温度に変更するパラメータであることを特徴とする請求項１から７のいずれか１項記載の撮影装置。
【請求項９】
撮影により画像を取得する撮影手段を備えた撮影装置の設定方法において、
装置の仕向地に応じた絵作りパラメータを取得し、
該絵作りパラメータに基づいて前記画像に対して処理を施して、絵作りがなされた処理済み画像を生成することを特徴とする撮影装置の設定方法。
【請求項１０】
撮影により画像を取得する撮影手段を備えた撮影装置の設定方法をコンピュータに実行させるためのプログラムにおいて、
装置の仕向地に応じた絵作りパラメータを取得する手順と、
該絵作りパラメータに基づいて前記画像に対して処理を施して、絵作りがなされた処理済み画像を生成する手順とを有することを特徴とするプログラム。
【発明の詳細な説明】
【技術分野】
【０００１】
本発明は、仕向地に応じた絵作りを行う撮影装置、撮影装置の設定方法および撮影装置の設定方法をコンピュータに実行させるためのプログラムに関するものである。
【背景技術】
【０００２】
テレビ、ビデオカメラ等の電子機器は、製造コストが安い国で製造されて各国に輸出されている。ここで輸出先である仕向地毎に、使用する言語、好まれる色温度およびカラーテレビジョン方式が異なるため、これらを仕向地に応じて設定する各種手法が提案されている。例えば、カラーテレビジョンにおいて、仕向地に応じたホワイトバランスのパラメータを記憶しておき、仕向地を入力することにより入力された仕向地に応じたホワイトバランスを設定する手法が提案されている（特許文献１参照）。また、ビデオカメラにおいて、仕向地に応じたカラーテレビジョン方式を記憶しておき、ユーザが仕向地を入力することにより、入力された仕向地に応じたカラーテレビジョン方式を設定する手法が提案されている（特許文献２参照）。さらに、ビデオカメラ等の言語切替機能を有する機器において、その言語設定のデフォルト言語を各仕向地の言語に合わせて工場出荷時に設定する手法も提案されている（特許文献３参照）。
【特許文献１】登録実用新案第３０３９３７１号公報
【特許文献２】特開２０００−３２３７６号公報
【特許文献３】特開２００５−４５６０３号公報
【発明の開示】
【発明が解決しようとする課題】
【０００３】
ところで、撮影によりデジタルの画像を取得するデジタルカメラ等の撮影装置においては、肌の色、ホワイトバランス等の画像の絵作りを行うパラメータは、仕向地に応じて用意されておらず、全世界共通のものを使用してる。しかしながら、青系統の暗めの色温度や、健康的に日焼けした肌色が好まれる欧米と、やや赤系統の明るめの色温度や、白い肌色が好まれるアジア地方のように、地域に応じて絵作りの好みが異なるものである。
【０００４】
本発明は上記事情に鑑みなされたものであり、デジタルカメラ等の撮影装置において、仕向地の好みに応じた絵作りを行うことができるようにすることを目的とする。
【課題を解決するための手段】
【０００５】
本発明による撮影装置は、撮影により画像を取得する撮影手段と、
仕向地に応じた絵作りパラメータを取得するパラメータ取得手段と、
該絵作りパラメータに基づいて前記画像に対して処理を施して、絵作りがなされた処理済み画像を生成する画像処理手段とを備えたことを特徴とするものである。
【０００６】
「仕向地に応じた絵作りパラメータ」とは、処理済み画像が、仕向地において一般的に好まれる画質を有するように、撮影により取得された画像を処理することが可能なパラメータを意味する。具体的には、仕向地において一般的に好まれる色温度および肌の色を有するように画像を処理することが可能なパラメータを用いることができる。
【０００７】
なお、本発明による撮影装置においては、前記仕向地を表す情報を取得する仕向地情報取得手段をさらに備えるようにしてもよい。
【０００８】
また、本発明による撮影装置においては、前記仕向地情報取得手段を、複数の仕向地からのユーザが所望する仕向地の選択を受け付けることにより、前記仕向地情報を取得する手段としてもよい。
【０００９】
また、本発明による撮影装置においては、前記仕向地情報取得手段を、通信経路経由での前記仕向地情報の入力を受け付けることにより、前記仕向地情報を取得する手段としてもよい。
【００１０】
「通信経路」としては、有線であっても無線であってもよい。
【００１１】
また、本発明による撮影装置においては、使用する言語を設定する言語設定手段をさらに備えるものとし、
前記仕向地情報取得手段を、該言語設定手段により設定された言語に基づいて、前記仕向地情報を取得する手段としてもよい。
【００１２】
また、本発明による撮影装置においては、前記パラメータ取得手段を、処理前の前記画像に含まれる人物の顔または肌色領域を、前記仕向地に応じた目標肌色に変更する絵作りパラメータを取得する手段としてもよい。
【００１３】
また、本発明による撮影装置においては、ポートレートモードを含む撮影モードを設定する撮影モード設定手段をさらに備えるものとし、
前記パラメータ取得手段を、前記ポートレートモードが設定された場合に、処理前の前記画像に含まれる顔または肌色を、前記仕向地に応じた目標肌色に変更する絵作りパラメータを取得する手段としてもよい。
【００１４】
また、本発明による撮影装置においては、前記絵作りのパラメータを、処理前の前記画像の色温度を前記仕向地に応じた目標色温度に変更するパラメータとしてもよい。
【００１５】
本発明による撮影装置の設定方法は、撮影により画像を取得する撮影手段を備えた撮影装置の設定方法において、
装置の仕向地に応じた絵作りパラメータを取得し、
該絵作りパラメータに基づいて前記画像に対して処理を施して、絵作りがなされた処理済み画像を生成することを特徴とするものである。
【００１６】
なお、本発明による撮影装置の設定方法をコンピュータに実行させるためのプログラムとして提供してもよい。
【発明の効果】
【００１７】
本発明によれば、装置の仕向地により表される仕向地に応じた絵作りパラメータが取得され、さらに取得されたパラメータに基づいて画像に対して処理が施されて、絵作りがなされた処理済み画像が生成される。このため、全世界共通の画一的な絵作りではなく、仕向地に応じた絵作りがなされた処理済み画像を得ることができる。
【００１８】
また、仕向地の情報を取得することにより、絵作りパラメータの取得が容易となる。
【００１９】
また、複数の仕向地からのユーザが所望する仕向地の選択を受け付けることにより、ユーザは簡易に仕向地を選択することができる。
【００２０】
また、通信経路経由での仕向地情報の入力を受け付けることにより、撮影装置に仕向地を選択させる手段を設けることなく仕向地情報を取得できるため、装置の構成を簡易なものとすることができる。
【００２１】
また、使用する言語を設定するようにした場合において、設定された言語に基づいて仕向地情報を取得することにより、ユーザの言語圏に応じた絵作りがなされた処理済み画像を得ることができる。
【００２２】
また、処理前の画像に含まれる人物の顔または肌色を、仕向地に応じた目標肌色に変更する絵作りパラメータを取得することにより、画像に含まれる顔または肌色が仕向地に応じた好ましい肌色となった処理済み画像を得ることができる。
【００２３】
とくに、撮影モードをポートレートモードに設定した場合に、処理前の画像に含まれる人物の顔または肌色を、仕向地に応じた目標肌色に変更する絵作りのパラメータを取得することにより、人物が強調されるように撮影がなされた画像において、さらに顔または肌色を仕向地に応じた好ましい肌色とすることができるため、処理済み画像の印象が仕向地に応じたさらに好ましいものとなる。
【発明を実施するための最良の形態】
【００２４】
以下、図面を参照して本発明の実施形態について説明する。図１は本発明の撮影装置の一実施形態であるデジタルカメラの背面図である。図１に示すように、デジタルカメラ１は、各種設定画面、画像データおよびコマ番号等を表示する液晶ディスプレイ（ＬＣＤ）１２と、デジタルカメラ１の起動および停止を入力するパワースイッチ１４と、デジタルカメラ１に備えられている撮影モードおよび再生モードを切り替えて設定するモード選択レバー１６と、処理を停止したり、選択した処理をキャンセルする際に押下する取消ボタン１８と、ＬＣＤ１２にデジタルカメラ１が有する各種メニューを表示したり、ＬＣＤ１２に表示されている項目から選択された項目を実行する際に押下するＯＫボタン２０とを備える。
【００２５】
さらに、デジタルカメラ１は、ファインダー２２と、ＬＣＤ１２の表示モードを切り替えるディスプレイボタン２４と、ストロボをポップアップさせるストロボボタン２６と、ポートレートモード、スポーツモードおよび夜景モード等の撮影モードを切り替える撮影モード選択ダイヤル２８と、ＬＣＤ１２に表示されているコマ番号のインクリメント、デクリメントおよびメニューの項目の選択等を行う場合に操作する十字カーソル３０とを備える。なお、十字カーソル３０は上下左右ボタンを有する。
【００２６】
図２はデジタルカメラ１の信号処理系のブロック図である。デジタルカメラ１は、撮影レンズおよびＣＣＤ等からなり、被写体像をＣＣＤの受光面に結像させて光電変換してアナログの画像データとして出力する撮像部４０と、デジタルカメラ１全体の制御を行うとともに画像データのサンプリングタイミング制御、画像データの記録制御、通信制御、表示制御および後述する仕向地に応じた絵作りパラメータの設定等の制御を行うＣＰＵ４２と、アナログ情報の画像データをデジタルの画像データに変換してＲＡＷ画像データを取得するＡ／Ｄ変換器４４と、画像サイズの変更、階調処理、色変換処理、濃度変換処理、シャープネス処理およびホワイトバランス調整処理等の画像処理を行う信号処理部４６と、ストロボ４８と、ストロボ４８の操作を制御するストロボ制御部５０と、不図示のレリーズボタン、モード選択レバー１６、取消ボタン１８、ＯＫボタン２０、撮影モード選択ダイヤル２８および十字カーソル３０等のユーザが情報を入力する際に用いる入力部５２と、入力部５２の設定情報を入力するインターフェースであるＩ／Ｏ５４とを備える。
【００２７】
また、デジタルカメラ１は、画像データをＪＰＥＧに代表される手法で圧縮したり、圧縮した画像データを解凍する圧縮解凍部５６と、メモリカードスロット５８に着脱可能に装着されたメモリカード６０に画像データを記録したり読み出したりするために画像データを変換するカードインターフェース６２とを備える。メモリカード６０は、半導体、磁気記録および光記録に代表される着脱可能な記録媒体である。
【００２８】
また、デジタルカメラ１は、絵作りパラメータ設定処理を実行するプログラムを含むＣＰＵ４２の動作プログラムや各定数が記憶されているＲＯＭおよびプログラム実行時の作業領域となる記憶手段であるＲＡＭにより構成されているシステムメモリ６４と、デジタルカメラ１の各種設定定数を電源遮断後も記憶し続けることが可能な書き替え可能な不揮発性メモリ６６と、タイマ撮影時に駆動されるタイマ６８と、現在の時刻を刻むカレンダ時計７０と、画像データや各種情報を通信によって送受信する場合に用いるＵＳＢ、ＩＥＥＥ１３９４、Ｅｔｈｅｒｎｅｔ（登録商標）等の規格の有線インターフェース７３と、画像データをＬＣＤ１２に表示するためのＤ／Ａ等を行うＬＣＤ制御部７４と、ＣＰＵ４２から指令される表示用の画像データを一時的に記憶しておくＶＲＡＭ等で構成されているフレームメモリ７６と、ＣＰＵ４２から指令されるコード情報を表示する文字やメッセージデータに変換して画像とともにオンスクリーンディスプレイするＯＳＤ７８とを備える。なお、電力を各部へ供給するバッテリ８４も備える。
【００２９】
有線インターフェース７３には通信コネクタ３２が接続されており、パソコンおよびプリンタ等他の通信機器と画像データを含む各種情報の送受信を実施することが可能となっている。
【００３０】
そしてＣＰＵ４２がシステムメモリ６４からプログラムを読み出して実行することにより、デジタルカメラ１の仕向地の情報を取得し、仕向地の情報により表される仕向地に応じた絵作りパラメータを取得し、絵作りパラメータに基づいて仕向地に応じた絵作りがなされた画像を生成する処理を行う。具体的には、ＣＰＵ４２が仕向地情報取得手段、およびパラメータ取得手段として機能する。また、信号処理部４６が画像処理手段として機能する。
【００３１】
次いで、本実施形態において行われる処理について説明する。まず、第１の処理について説明する。第１の処理は、デジタルカメラ１のユーザによる仕向地の選択を受け付けることにより、仕向地情報を取得して絵作りパラメータを取得するものである。図３は第１の処理における絵作りパラメータの取得処理のフローチャートである。ユーザが仕向地入力の指示を入力部５２を用いて行うことによりＣＰＵ４２が処理を開始し、まず仕向地を設定可能な設定画面をＬＣＤ１２に表示する（ステップＳＴ１）。
【００３２】
図４は仕向地を設定可能な設定画面の表示の変遷を示す図である。まずＬＣＤ１２には図４（ａ）に示す初期の設定画面が表示される。初期設定画面は、仕向地、設定、通信モードおよびＮＴＳＣの各項目が可能な画面である。この状態において、ユーザは十字カーソル３０の上下ボタンを操作することにより、項目を選択することができる。なお、本実施形態においては、選択された項目に斜線を付与して示す。そして、ユーザが仕向地の項目を選択してＯＫボタン２０を押下すると、ＣＰＵ４２は図４（ｂ）に示すように、仕向地の候補を表示する。ここでは、日本、米国、欧州および中国の国名が表示されている。
【００３３】
この状態において、ユーザが十字カーソル３０の右ボタンを押下すると、図４（ｃ）に示すように国名が選択される。ここでは、最上位に記載されている日本の項目が選択されている。この状態でユーザが左ボタンを押下すると図４（ｂ）に示す画面に戻る。一方、図４（ｃ）に示す状態でユーザが下ボタンを押下すると、図４（ｄ）に示すように日本の下方にある米国の項目が選択される。この状態でユーザが上ボタンを押下すると図４（ｃ）に示す画面に戻る。一方、ユーザが上ボタンを押下すると、図４（ｅ）に示すように図４（ｃ）の画面では表示されていない韓国の国名が現れる。ユーザはこのように十字カーソル３０を操作することにより、仕向地の国名を選択することができる。
【００３４】
続いて、ＣＰＵ４２はユーザがＯＫボタン２０を押下したか否かの監視を開始し（ステップＳＴ２）、ステップＳＴ２が肯定されると、ユーザが設定した仕向地の情報を取得する（ステップＳＴ３）。そして、仕向地と仕向地に応じた目標色温度とを対応づけたテーブルＴ１を参照して仕向地に応じた目標色温度を絵作りパラメータとして取得し（ステップＳＴ４）、これを不揮発性メモリ６６に保存し（ステップＳＴ５）、処理を終了する。
【００３５】
図５は仕向地と仕向地に応じた目標色温度とを対応づけたテーブルを示す図である。図５に示すようにテーブルＴ１は、デジタルカメラ１において選択可能な仕向地である日本、米国、欧州、中国および韓国の国名と各国において所望とされる目標色温度とが対応づけられている。
【００３６】
ここで、日本、中国および韓国のようなアジア各国においては赤系統の明るめの色温度が好まれるのに対し、欧米では青系統の暗めの色温度が好まれる。このため、テーブルＴ１は、日本、中国および韓国を選択した場合には赤系統の明るめの色温度（ここでは６８００度）が目標色温度として選択され、欧米を選択した場合には青系統の暗めの色温度（ここでは９０００度）が目標色温度として選択されるように設定されている。
【００３７】
次いで、第１の処理における撮影時の動作について説明する。図６は第１の処理における撮影時の動作を示すフローチャートである。ユーザがレリーズボタンを押下することによりＣＰＵ４２が処理を開始する。まず、ＣＰＵ４２は撮像部４０およびＡ／Ｄ変換器４４に対して撮影の指示を行い、これによりＲＡＷ画像データを取り込む（ステップＳＴ１１）。
【００３８】
次いで、信号処理部４６がＲＡＷ画像データを輝度および色差からなるＹＣＣ画像データに変換する（ステップＳＴ１２）。そして、不揮発性メモリ６６に保存された絵作りパラメータを取り込み（ステップＳＴ１３）、目標色温度となるようにＹＣＣ画像データに対してホワイトバランス調整処理を施すとともに（ステップＳＴ１４）、階調処理、シャープネス処理等の他の画像処理を施す（ステップＳＴ１５）。なお、ホワイトバランス調整処理は、ＹＣＣ画像データにより表される画像の全体に対して施される。
【００３９】
以下、ＹＣＣ画像データを目標色温度とするためのホワイトバランス調整処理について説明する。本実施形態においてシステムメモリ６４には、デジタルカメラ１に固有の光学特性のバラツキを補正するための補正係数（以下基準補正係数とする）が記憶されている。基準補正係数は、基準色温度光源の元で無彩色の被写体を撮影したときの色差成分が０となるような、カメラ毎に固有の値を有する。そして、基準補正係数をＹＣＣ画像データに乗算することにより、基本的にホワイトバランス調整され、かつ正規化されたＹＣＣ画像データを得ることができる。
【００４０】
一方、システムメモリ６４には、基準色温度光源下において無彩色の被写体を撮影したときに、無彩色を目標色温度に変換するための補正係数を記憶している。本実施形態においては、色温度を６８００度および９０００度に変換するための補正係数を記憶している。そして、ステップＳＴ４において取得した絵作りパラメータにより表される色温度に応じた補正係数を正規化されたＹＣＣ画像データに乗算することにより、目標色温度となるようにホワイトバランス調整されたＹＣＣ画像データを得ることができる。
【００４１】
そして、圧縮解凍部５６が処理済みのＹＣＣ画像データをＪＰＥＧ圧縮し（ステップＳＴ１６）、これにより得られたＪＰＥＧ画像データをメモリカード６０に記録し（ステップＳＴ１７）、処理を終了する。
【００４２】
このように、本実施形態の第１の処理によれば、デジタルカメラ１の仕向地に応じた絵作りパラメータを取得し、このパラメータに基づいてホワイトバランス調整処理を行うようにしたため、全世界共通の画一的な絵作りではなく、仕向地に応じた絵作りがなされた画像を得ることができる。
【００４３】
また、複数の仕向地からのユーザが所望する仕向地の選択を受け付けることにより、ユーザは簡易に仕向地を選択することができる。
【００４４】
次いで、本実施形態の第２の処理について説明する。上記第１の処理においては、デジタルカメラ１において仕向地を入力しているが、第２の処理においては図７に示すようにデジタルカメラ１とコンピュータ１００とをケーブル１０２により接続し、コンピュータ１００において仕向地を設定し、設定した仕向地の情報を含む設定情報をコンピュータ１００からデジタルカメラ１に送信するようにしたものである。
【００４５】
次いで、第２の処理の動作について説明する。図８は第２の処理における絵作りパラメータの取得処理のフローチャートである。デジタルカメラ１とコンピュータ１００とが接続されることによりＣＰＵ４２が処理を開始し、まず通信を初期化する（ステップＳＴ２１）。そして、ＣＰＵ４２はコンピュータ１００から設定情報を受信したか否かを判定し（ステップＳＴ２２）、ステップＳＴ２２が肯定されると、受信した設定情報が仕向地情報を含むか否かを判定する（ステップＳＴ２３）。ステップＳＴ２３が肯定されると、仕向地と仕向地に応じた目標色温度とを対応づけたテーブルＴ１を参照して仕向地に応じた目標色温度を絵作りパラメータとして取得し（ステップＳＴ２４）、これを不揮発性メモリ６６に保存し（ステップＳＴ２５）、処理を終了する。
【００４６】
なお、ステップＳＴ２２が否定されると、通信線が切断されたか否かを判定し（ステップＳＴ２６）、ステップＳＴ２６が否定されるとステップＳＴ２２に戻る。ステップＳＴ２６が肯定されると通信ポートを閉鎖し（ステップＳＴ２７）、処理を終了する。また、ステップＳＴ２３が否定されると、受信した設定情報を不揮発性メモリ６６に保存し（ステップＳＴ２５）、処理を終了する。なお、撮影時の処理は上記第１の処理と同様に行われる。
【００４７】
このように、第２の処理においては、通信経路経由での仕向地情報の入力を受け付けるようにしたため、デジタルカメラ１に仕向地を選択させる手段を設けることなく仕向地情報を取得でき、これによりデジタルカメラ１の構成を簡易なものとすることができる。
【００４８】
なお、上記第２の処理においては、デジタルカメラ１とコンピュータ１００とをケーブル１０２で接続して通信を行っているが、無線により通信を行うようにしてもよい。
【００４９】
次いで、本実施形態の第３の処理について説明する。上記第１の処理においては、デジタルカメラ１において仕向地を入力しているが、第３の処理は、デジタルカメラ１のユーザによる使用言語の選択を受け付けることにより、仕向地情報を取得するものである。図９は第３の処理における絵作りパラメータの取得処理のフローチャートである。ユーザが仕向地入力の指示を入力部５２を用いて行うことによりＣＰＵ４２が処理を開始し、ＣＰＵ４２は使用言語を設定可能な設定画面をＬＣＤ１２に表示する（ステップＳＴ３１）。
【００５０】
図１０は使用言語を設定可能な設定画面の表示の変遷を示す図である。まずＬＣＤ１２には図１０（ａ）に示す初期の設定画面が表示される。初期設定画面は、使用言語、設定、通信モードおよびＮＴＳＣの各項目が可能な画面である。なお、使用言語は「言語」とのみ表示されてる。この状態において、ユーザは十字カーソル３０の上下ボタンを操作することにより、項目を選択することができる。そして、ユーザが使用言語を選択してＯＫボタン２０を押下すると、ＣＰＵ４２は図１０（ｂ）に示すように、使用言語の候補を表示する。ここでは、日本語、英語、フランス語および中国語が表示されている。
【００５１】
この状態において、ユーザが十字カーソル３０の右ボタンを押下すると、図１０（ｃ）に示すように使用言語が選択される。ここでは、最上位に記載されている日本語の項目が選択される。この状態でユーザが左ボタンを押下すると図１０（ｂ）に示す画面に戻る。一方、図１０（ｃ）に示す状態でユーザが下ボタンを押下すると、図１０（ｄ）に示すように日本語の下方にある英語の項目が選択される。この状態でユーザが上ボタンを押下すると図１０（ｃ）に示す画面に戻る。一方、ユーザが上ボタンを押下すると、図１０（ｅ）に示すように図１０（ｃ）の画面では表示されていない韓国語が現れる。ユーザはこのように十字カーソル３０を操作することにより、使用言語を選択することができる。
【００５２】
続いて、ＣＰＵ４２はユーザがＯＫボタン２０を押下したか否かの監視を開始し（ステップＳＴ３２）、ステップＳＴ３２が肯定されると、ユーザが設定した使用言語の情報を取得する（ステップＳＴ３３）。そして、使用言語と仕向地とを対応づけたテーブルＴ２を参照して仕向地情報を取得する（ステップＳＴ３４）。
【００５３】
図１１は使用言語と仕向地とを対応づけたテーブルを示す図である。図１１に示すようにテーブルＴ２は、デジタルカメラ１において選択可能な言語である日本語、英語、フランス語、ドイツ語、スペイン語、イタリア語、中国語および韓国語と各言語を使用する仕向地とが対応づけられている。
【００５４】
そして、ＣＰＵ４２は、仕向地と仕向地に応じた目標色温度とを対応づけたテーブルＴ１を参照して使用言語に応じた目標色温度を絵作りパラメータとして取得し（ステップＳＴ３５）、これを不揮発性メモリ６６に保存し（ステップＳＴ３６）、処理を終了する。なお、撮影時の処理は上記第１の処理と同様に行われる。
【００５５】
このように、第３の処理においては、ユーザが設定した言語に基づいて仕向地情報を取得するようにしたため、ユーザの言語圏に応じた絵作りがなされた画像を得ることができる。
【００５６】
次いで、本実施形態の第４の処理について説明する。上記第１の処理においては、目標色温度を絵作りパラメータとして取得し、絵作りパラメータに基づいてＹＣＣ画像データにより表される画像の全体に対してホワイトバランス調整処理を施しているが、第４の処理においては、目標肌色を絵作りパラメータとして取得し、ＹＣＣ画像データにより表される画像に顔が含まれる場合に、顔領域に対して絵作りパラメータに基づいて美肌処理を施すものである。ここで、美肌処理とは、顔領域の肌色を、絵作りパラメータにより表される仕向地に応じた目標肌色に変換する処理である。
【００５７】
ここで、上記第１の処理においては仕向地の入力により、第２の処理においてはコンピュータ１００による設定により、第３の処理においては使用言語の入力により仕向地情報を取得し、さらに目標色温度を絵作りパラメータとして取得しているが、第４の処理においては、上記第１から第３の処理のいずれかの処理により仕向地情報を取得し、目標肌色を絵作りパラメータとして取得するものである。具体的には、図１２に示すような仕向地と仕向地に応じた目標肌色とを対応づけたテーブルＴ３を参照して、仕向地に応じた目標肌色を絵作りパラメータとして取得する。
【００５８】
ここで、日本、中国および韓国のようなアジア各国においては、白い肌色が好まれるのに対し、欧米では小麦色に日焼けした肌色が好まれる。このため、テーブルＴ３は、日本、中国および韓国を選択した場合には白い肌色となるような肌色が目標肌色として選択され（（Ｃｂ，Ｃｒ）＝（ａ１，ｂ１））、欧米を選択した場合には小麦色の肌色となるような肌色が目標肌色として選択されるように設定されている（（Ｃｂ，Ｃｒ）＝（ａ２，ｂ２））。なお、本実施形態においてはＹＣＣ画像データに対して処理を施すものであるため、絵作りパラメータはＹＣＣ画像データのうちの色差データＣｂ、Ｃｒの値を設定するものとなっている。
【００５９】
次いで、第４の処理における撮影時の動作について説明する。図１３は第４の処理における撮影時の動作を示すフローチャートである。ユーザがレリーズボタンを押下することによりＣＰＵ４２が処理を開始する。まず、ＣＰＵ４２は撮像部４０およびＡ／Ｄ変換器４４に対して撮影の指示を行い、これによりＲＡＷ画像データを取り込む（ステップＳＴ４１）。
【００６０】
次いで、信号処理部４６がＲＡＷ画像データを輝度および色差からなるＹＣＣ画像データに変換する（ステップＳＴ４２）。そして、ＹＣＣ画像データにより表される画像に顔が含まれるか否かを判定する（ステップＳＴ４３）。信号処理部４６は、画像に肌色を有するとともに形状が楕円形の領域が含まれるか否かを検出することによりステップＳＴ４３の処理を行うが、これに限定されるものではない。ステップＳＴ４３が肯定されると、信号処理部４６は不揮発性メモリ６６に保存された絵作りパラメータを取り込み（ステップＳＴ４４）、絵作りパラメータに基づいて画像中の顔領域に美肌処理を施すとともに（ステップＳＴ４５）、階調処理、シャープネス処理、ホワイトバランス調整処理等の他の画像処理を施す（ステップＳＴ４６）。なお、他の画像処理はＹＣＣ画像データにより表される画像の全体に対して施される。
【００６１】
そして、圧縮解凍部５６が処理済みのＹＣＣ画像データをＪＰＥＧ圧縮し（ステップＳＴ４７）、これにより得られたＪＰＥＧ画像データをメモリカード６０に記録し（ステップＳＴ４８）、処理を終了する。
【００６２】
一方、ステップＳＴ４３が否定されると、ＹＣＣ画像データにより表される画像の全体に他の画像処理を施すべくステップＳＴ４６に進む。
【００６３】
このように、第４の処理によれば、デジタルカメラ１の仕向地に応じた目標肌色を絵作りパラメータとして取得し、このパラメータに基づいて顔領域に美肌処理を施しているため、顔が仕向地に応じた好ましい肌色となった画像を得ることができる。
【００６４】
次いで、本実施形態の第５の処理について説明する。上記第４の処理においては、ＹＣＣ画像データにより表される画像に顔が含まれる場合に、顔領域に対して美肌処理を施しているが、第５の処理においては、ＹＣＣ画像データにより表される画像に肌色が含まれる場合に、肌色領域に対して美肌処理を施すものである。
【００６５】
次いで、第５の処理における撮影時の動作について説明する。図１４は第５の処理における撮影時の動作を示すフローチャートである。ユーザがレリーズボタンを押下することによりＣＰＵ４２が処理を開始する。まず、ＣＰＵ４２は撮像部４０およびＡ／Ｄ変換器４４に対して撮影の指示を行い、これによりＲＡＷ画像データを取り込む（ステップＳＴ５１）。
【００６６】
次いで、信号処理部４６がＲＡＷ画像データを輝度および色差からなるＹＣＣ画像データに変換する（ステップＳＴ５２）。そして、ＹＣＣ画像データにより表される画像に肌色が含まれるか否かを判定する（ステップＳＴ５３）。ステップＳＴ５３が肯定されると、不揮発性メモリ６６に保存された絵作りパラメータを取り込み（ステップＳＴ５４）、絵作りパラメータに基づいて画像中の肌色領域に美肌処理を施すとともに（ステップＳＴ５５）、階調処理、シャープネス処理、ホワイトバランス調整処理等の他の画像処理を施す（ステップＳＴ５６）。なお、他の画像処理はＹＣＣ画像データにより表される画像の全体に対して施される。
【００６７】
そして、圧縮解凍部５６が処理済みのＹＣＣ画像データをＪＰＥＧ圧縮し（ステップＳＴ５７）、これにより得られたＪＰＥＧ画像データをメモリカード６０に記録し（ステップＳＴ５８）、処理を終了する。
【００６８】
一方、ステップＳＴ５３が否定されると、ＹＣＣ画像データにより表される画像の全体に他の画像処理を施すべくステップＳＴ５６に進む。
【００６９】
このように、第５の処理によれば、デジタルカメラ１の仕向地に応じた目標肌色を絵作りパラメータとして取得し、このパラメータに基づいて肌色領域に美肌処理を施しているため、肌色領域が仕向地に応じた好ましい肌色となった画像を得ることができる。
【００７０】
次いで、本実施形態の第６の処理について説明する。上記第４の処理においては、常に顔領域に美肌処理を施しているが、第６の処理においては、撮影モードがポートレートモードに設定されている場合にのみ、顔領域に美肌処理を施すものである。
【００７１】
次いで、第６の処理における撮影時の動作について説明する。図１５は第６の処理における撮影時の動作を示すフローチャートである。ユーザがレリーズボタンを押下することによりＣＰＵ４２が処理を開始する。まず、ＣＰＵ４２は撮像部４０およびＡ／Ｄ変換器４４に対して撮影の指示を行い、これによりＲＡＷ画像データを取り込む（ステップＳＴ６１）。
【００７２】
次いで、信号処理部４６がＲＡＷ画像データを輝度および色差からなるＹＣＣ画像データに変換する（ステップＳＴ６２）。そして、撮影モードがポートレートモードに設定されているか否かを判定する（ステップＳＴ６３）。ステップＳＴ６３が肯定されると、ＹＣＣ画像データにより表される画像に顔が含まれるか否かを判定する（ステップＳＴ６４）。ステップＳＴ６４が肯定されると、不揮発性メモリ６６に保存された絵作りパラメータを取り込み（ステップＳＴ６５）、画像中の顔領域に美肌処理を施すとともに（ステップＳＴ６６）、階調処理、シャープネス処理、ホワイトバランス調整処理等の他の画像処理を施す（ステップＳＴ６７）。なお、他の画像処理はＹＣＣデータにより表される画像の全体に対して施される。
【００７３】
そして、圧縮解凍部５６が処理済みのＹＣＣ画像データをＪＰＥＧ圧縮し（ステップＳＴ６８）、これにより得られたＪＰＥＧ画像データをメモリカード６０に記録し（ステップＳＴ６９）、処理を終了する。
【００７４】
一方、ステップＳＴ６３およびステップＳＴ６４が否定されると、ＹＣＣ画像データにより表される画像の全体に他の画像処理を施すべくステップＳＴ６７に進む。
【００７５】
このように、撮影モードをポートレートモードに設定した場合に、ＹＣＣ画像データにより表される画像に含まれる顔領域に対して美肌処理を施すことにより、人物が強調されるように撮影がなされた画像において、さらに顔を仕向地に応じた好ましい肌色とすることができるため、取得される画像の印象が仕向地に応じたさらに好ましいものとなる。
【００７６】
なお、第６の処理において、第５の処理のように肌色領域に対して美肌処理を施すようにしてもよい。
【００７７】
また、上記実施形態において、画像の全体に対して目標色温度に変更する処理を施すとともに、顔領域または肌色領域に対して美肌処理を施すようにしてもよい。
【図面の簡単な説明】
【００７８】
【図１】本発明の撮影装置の実施形態であるデジタルカメラの背面図
【図２】デジタルカメラの信号処理系のブロック図
【図３】第１の処理における絵作りパラメータの取得処理のフローチャート
【図４】仕向地を設定可能な設定画面の表示の変遷を示す図
【図５】仕向地と仕向地に応じた目標色温度とを対応づけたテーブルを示す図
【図６】第１の処理における撮影時の動作を示すフローチャート
【図７】第２の処理におけるデジタルカメラとコンピュータとの接続を説明するための図
【図８】第２の処理における絵作りパラメータの取得処理のフローチャート
【図９】第３の処理における絵作りパラメータの取得処理のフローチャート
【図１０】使用言語を設定可能な設定画面の表示の変遷を示す図
【図１１】使用言語と仕向地とを対応づけたテーブルを示す図
【図１２】仕向地と仕向地に応じた目標肌色とを対応づけたテーブルを示す図
【図１３】第４の処理における撮影時の動作を示すフローチャート
【図１４】第５の処理における撮影時の動作を示すフローチャート
【図１５】第６の処理における撮影時の動作を示すフローチャート
【符号の説明】
【００７９】
１    デジタルカメラ
１２    ＬＣＤ
１８    取消ボタン
２０    ＯＫボタン
２８    撮影モード選択ダイヤル
３２    通信コネクタ
４０    撮像部
４２    ＣＰＵ
４４    Ａ／Ｄ変換器
４６    信号処理部
５２    入力部
５６    圧縮解凍部
６０    メモリカード
６４    システムメモリ
６６    不揮発性メモリ
７３    有線インターフェース
【図１】
2006352222.tif 000003
【図２】
2006352222.tif 000004
【図３】
2006352222.tif 000005
【図４】
2006352222.tif 000006
【図５】
2006352222.tif 000007
【図６】
2006352222.tif 000008
【図７】
2006352222.tif 000009
【図８】
2006352222.tif 000010
【図９】
2006352222.tif 000011
【図１０】
2006352222.tif 000012
【図１１】
2006352222.tif 000013
【図１２】
2006352222.tif 000014
【図１３】
2006352222.tif 000015
【図１４】
2006352222.tif 000016
【図１５】
2006352222.tif 000017